(57)【要約】【課題】  この発明は、こま落ちを生じさせることなく、再生時間の短縮化が図れる映像再生装置を提供することを目的とする。【解決手段】  モニタ画面を複数の画面に分割するとともに、再生映像区間を分割画面数で分割し、各分割再生映像期間それぞれを各分割画面に割り当てて表示させる多画面再生手段を備えている。多画面再生手段は、再生映像区間を設定させるための第１設定手段、分割画面数を設定させるための第２設定手段、第１設定手段によって設定された再生映像区間を第２設定手段によって設定された分割画面数で分割し、各分割再生映像区間の先頭位置それぞれを各分割画面の再生開始位置として割り当てる手段、ならびに各分割画面にそれに割り当てられた再生開始位置からの映像が表示されるように、再生処理を行う手段を備えている。【選択図】  図１
2006054640.tif 000002
【特許請求の範囲】
【請求項１】
モニタ画面を複数の画面に分割するとともに、再生映像区間を分割画面数で分割し、各分割再生映像期間それぞれを各分割画面に割り当てて表示させる多画面再生手段を備えていることを特徴とする映像再生装置。
【請求項２】
多画面再生手段は、
再生映像区間を設定させるための第１設定手段、
分割画面数を設定させるための第２設定手段、
第１設定手段によって設定された再生映像区間を第２設定手段によって設定された分割画面数で分割し、各分割再生映像区間の先頭位置それぞれを各分割画面の再生開始位置として割り当てる手段、ならびに
各分割画面にそれに割り当てられた再生開始位置からの映像が表示されるように、再生処理を行う手段、
を備えていることを特徴とする請求項１に記載の映像再生装置。
【発明の詳細な説明】
【技術分野】
【０００１】
この発明は、映像再生装置に関する。
【背景技術】
【０００２】
例えば、監視用のデジタル映像記録再生装置においては、記録された画像を早く再生するには、記録された画像を一定間隔で飛ばして、再生を行っていた。このような再生方法では、再生映像区間内の全ての記録画像を再生できない。つまり、こま落ちが生じる。このため、重要なシーンが再生されない可能性がある。
【発明の開示】
【発明が解決しようとする課題】
【０００３】
この発明は、こま落ちを生じさせることなく、再生時間の短縮化が図れる映像再生装置を提供することを目的とする。
【課題を解決するための手段】
【０００４】
請求項１に記載の発明は、モニタ画面を複数の画面に分割するとともに、再生映像区間を分割画面数で分割し、各分割再生映像期間それぞれを各分割画面に割り当てて表示させる多画面再生手段を備えていることを特徴とする。
【０００５】
請求項２に記載の発明は、請求項１に記載の映像再生装置において、多画面再生手段は、再生映像区間を設定させるための第１設定手段、分割画面数を設定させるための第２設定手段、第１設定手段によって設定された再生映像区間を第２設定手段によって設定された分割画面数で分割し、各分割再生映像区間の先頭位置それぞれを各分割画面の再生開始位置として割り当てる手段、ならびに各分割画面にそれに割り当てられた再生開始位置からの映像が表示されるように、再生処理を行う手段を備えていることを特徴とする。
【発明の効果】
【０００６】
この発明によれば、こま落ちを生じさせることなく、再生時間の短縮化が図れるようになる。
【発明を実施するための最良の形態】
【０００７】
以下、図面を参照して、この発明を監視用の記録再生装置に適用した場合の実施例について説明する。
【実施例１】
【０００８】
図１は、監視用の記録再生装置の構成を示している。実際は、監視カメラからの映像データが、圧縮された後に、ハードディスク（ＨＤＤ）に記録されるが、映像記録のための構成は省略されている。
【０００９】
ＨＤＤ１には、監視カメラからの映像データ（圧縮映像データ）が記録されている。また、ＨＤＤ１には、各映像データの記録アドレスと記録時刻との関係を示すデータとが記憶されている。ＨＤＤ１は、ＨＤＤ制御回路２によって制御される。再生時において、ＨＤＤ制御回路２によってＨＤＤ１から読み出された映像データは、映像処理回路３を介してモニタ４に送られる。ＨＤＤ制御回路２および映像処理回路３は、ＣＰＵ１０によって制御される。ＣＰＵ１０には、操作部５が接続されている。
【００１０】
この実施例では、再生モードとして、通常再生モードの他に、多画面再生モードが用意されている。多画面再生モードとは、モニタ画面を複数の画面に分割するとともに、再生映像区間を分割画面数で分割し、分割された再生映像期間を分割画面に割り当てて、表示させるモードをいう。
【００１１】
例えば、図２に示すように、モニタ画面を４分割する場合について説明する。再生映像区間の再生開始ポイント時刻が１：００、再生映像区間の再生終了ポンイト時刻が２：００であるとすると、通常再生時の再生時間は、１時間となる。分割画面は４つあるので、１分割画面当たりの再生時間は、１５分となる。
【００１２】
したがって、第１の分割画面Ｇ１には１：００〜１：１５の映像を再生表示し、第２の分割画面Ｇ２には１：１６〜１：３０の映像を再生表示し、第３の分割画面Ｇ３には１：３１〜１：４５の映像を再生表示し、第４の分割画面Ｇ４には１：４６〜２：００の映像を再生表示する。    
【００１３】
このような再生（多画面再生）を行う場合には、各分割画面に表示すべき映像データを、数フレーム単位で時分割して、ＨＤＤ１から順次読み出して、映像処理回路３内のメモリに一旦格納する。映像処理回路３は、メモリに格納された各分割画面に対する映像データを読み出して伸張した後、これらを合成する。そして、合成画像を１画面分のサイズに縮小して、モニタ４に出力する。
【００１４】
なお、通常再生時においては、ＨＤＤ１から読み出されたデータは、映像処理回路３内のメモリに一旦格納される。そして、メモリから読み出されて伸張された後、モニタ４に送られる。
【００１５】
図３は、多画面再生モードによる再生処理手順を示している。
【００１６】
ユーザは、多画面再生モードを選択した後、再生開始ポイント時刻（ＳＴ）、再生終了ポイント時刻（ＥＴ）および再生画面数（分割画面数）Ｎを設定する（ステップＳ１，Ｓ２，３）。多画面再生モードを選択および再生開始ポイント時刻（ＳＴ）、再生終了ポイント時刻（ＥＴ）および再生画面数（分割画面数）Ｎの設定は、操作部５を操作することによって行われる。
【００１７】
これらの情報が設定されると、分割画面毎の再生開始時刻が算出される（ステップＳ４）。第ｎ（ｎ＝１，…Ｎ）番目の分割画面の再生開始時刻ＳＴn は、次式（１）に基づいて算出される。
【００１８】
ＳＴn ＝ＳＴ＋｛（ＥＴ−ＳＴ）／Ｎ｝（ｎ−１）    …（１）
【００１９】
したがって、再生画面数（分割画面数）Ｎが、例えば４である場合には、１番目の分割画面（ｎ＝１）の再生開始時刻ＳＴ1 はＳＴとなり、２番目の分割画面（ｎ＝２）の再生開始時刻ＳＴ2 はＳＴ＋｛（ＥＴ−ＳＴ）／４｝となり、３番目の分割画面（ｎ＝２）の再生開始時刻ＳＴ2 はＳＴ＋｛（ＥＴ−ＳＴ）／４｝×２となり、４番目の分割画面（ｎ＝２）の再生開始時刻ＳＴ2 はＳＴ＋｛（ＥＴ−ＳＴ）／４｝×３となる。
【００２０】
そして、算出された分割画面毎の再生開始時刻ＳＴn に基づいて、Ｎ画面再生（多画面再生）が行われる（ステップＳ５）。そして、実再生時間が｛（ＥＴ−ＳＴ）／Ｎ｝に達すると、今回の多画面再生モードによる再生処理は、終了する（ステップＳ６）。この結果、各分割画面毎に対応する再生開始時刻ＳＴn から｛（ＥＴ−ＳＴ）／Ｎ｝時間分の映像データが表示されることになる。
【図面の簡単な説明】
【００２１】
【図１】監視用の記録再生装置の構成を示すブロック図である。
【図２】多画面再生モードにおいて、モニタ画面が４分割された場合を示す模式図である。
【図３】多画面再生モードによる再生処理手順を示すフローチャートである。
【符号の説明】
【００２２】
１  ＨＤＤ
２  ＨＤＤ制御回路
３  映像処理回路
４  モニタ
５  操作部
１０  ＣＰＵ
【図１】
2006054640.tif 000003
【図２】
2006054640.tif 000004
【図３】
2006054640.tif 000005